(57)【要約】摩耗部分（２）および補強部分（１）を含むスクリーンデッキに取り付けられるように適合された、鉱業および採石業のためのスクリーニングパネルであって、摩耗部分（２）が、本明細書に記載されているような補強部分（１）に形成された、本明細書に記載されているような材料から構成されたスクリーニング面を備え、摩耗部分が前記パネルの上部であり、補強部分が前記パネルの底部であり、摩耗部分および補強部分が別個のユニットであり、摩耗部分が、スクリーニング作業の円滑な機能を確実にするように、適宜交換可能であるように適合されている、スクリーンパネル。
2013526405.tif 000002
【特許請求の範囲】
【請求項１】
摩耗部分および補強部分を含む、スクリーンデッキに取り付けられるように適合された、鉱業および採石業のためのスクリーニングパネルであって、摩耗部分が、本明細書に記載されているような補強部分の上に形成された、本明細書に記載されているような材料から構成されたスクリーニング面を備え、摩耗部分が前記パネルの上部であり、補強部分が前記パネルの底部であり、摩耗部分および補強部分が別個のユニットであり、摩耗部分が、スクリーニング作業の円滑な機能を確実にするように、適宜交換可能であるように適合されている、スクリーンパネル。
【請求項２】
スクリーニング領域が外側に広がる設計を有する耐擦傷性開口部を備えている、請求項１に記載のスクリーンパネル。
【請求項３】
摩耗部分が、２つ以上のユニットに分離されている、請求項１に記載のスクリーンパネル。
【請求項４】
摩耗部分および補強部分が、ボタン型滑り嵌め、ピンおよびラグ機構、およびボルト締めのいずれかにより、互いに取り付けられるように適合されている、請求項３に記載のスクリーンパネル。
【請求項５】
摩耗部分がポリウレタン／ゴム／鋼から構成されており、補強部分が、ゴムおよびポリウレタンの一方による高温加硫または鋳造によって作製された枠である、請求項１〜４のいずれか一項に記載のスクリーンパネル。
【請求項６】
スクリーニング面が、軟鋼、ステンレス鋼、ゴム、および鋼補強材を有するまたは有しないポリウレタンのうちのいずれか、またはそれらの組合せでできている、請求項１に記載のスクリーンパネル。
【請求項７】
前記パネルが、前記パネルの外縁においてかつ前記パネルの内部領域を横切って延在する、加硫材料、すなわち鋼補強バーが内部に埋め込まれたポリウレタンゴムを含み、それにより、前記スクリーニング面に対して支持を提供する、請求項１〜６のいずれか一項に記載のスクリーンパネル。
【請求項８】
前記パネルの補強部分が、ボタン型滑り嵌め、ピンおよびラグ機構、およびボルト締めのいずれかにより機械の枠に取り付けられている、請求項１〜７に記載のスクリーンパネル。
【請求項９】
スクリーンデッキに取り付けられるように適合された、鉱業および採石業のためのスクリーニングパネルを製造する方法であって、本明細書に記載されているような材料から構成されたスクリーニング面を有する摩耗部分と本明細書に記載されているような補強部分とを設計するステップと、補強部分の上に摩耗部分を形成するステップとを含み、摩耗ゾーンおよび補強ゾーンを別個のユニットとして作製し、それにより、摩耗部分が、スクリーニング作業の円滑な機能を確実にするように適宜交換可能であるようにする、ステップをさらに含む方法。
【請求項１０】
複数のスクリーンパネルが取り付けられている、鉱業および採石業のためのスクリーニングデッキであって、前記パネルの各々が、摩耗部分および補強部分を有し、摩耗部分が、本明細書に記載されているような補強部分に形成された、本明細書に記載されているような材料から構成されたスクリーニング面を備え、摩耗部分が前記パネルの上部であり、補強部分が前記パネルの底部であり、摩耗部分および補強部分が別個のユニットであり、摩耗部分が、スクリーニング作業の円滑な機能を確実にするように、適宜交換可能であるように適合されている、スクリーニングデッキ。
【発明の詳細な説明】
【技術分野】
【０００１】
本発明は、概して、鉱業および採石業における鉱物のスクリーニング（ふるい分け）／選別または分級用のスクリーニングパネル、特に、交換可能な摩耗／機能部分を備えたスクリーンパネルに関する。
【背景技術】
【０００２】
現在鉱業によって広く使用されている鉱石スクリーニングデッキ用のスクリーニングパネルシステムが、初期のスクリーニング布および大型のワイヤスクリーニングフレームに取って代わった。これらのスクリーニングパネルは、ゴム製であるか、または鋼補強材を備えたポリウレタン製であることが知られている。こうしたパネルは、高温加硫法または鋳造によって製造されることも知られている。パネルは、ボルト締めによりふるい機の支持枠に固定されるように適合されている。パネルを、ピンおよび別個のラグ機構を用いて別の方法により枠に固定することも可能である。
【０００３】
これらのパネルを用いる際に直面する問題は、開口部ゾーンにおける、スクリーニング領域厚さが低減する開口部の切削または開口部の摩耗によるわずかな欠陥により、パネル全体を交換する必要がある、ということである。これは、パネルの開口領域とともに切削箇所の強度に影響を与える。縁におけるように縁がスクリーニング部分より厚いスクリーンパネルでは、耐摩耗性である必要がある内部補強材が配置されている。しかしながら、主な摩耗部分は、スクリーニング領域厚さ、すなわち機能ゾーンである開口部ゾーンにある。従来、機能ゾーンおよび補強ゾーンは、同質であり一体化されている。このため、パネルの交換時、顧客は、パネル全体、すなわち１つの、同質であり一体型の機能ゾーンまたは摩耗ゾーンおよび補強ゾーンを交換しなければならない。さらに、スクリーンパネルの一体性により、全体的な重量の増大に加え、取り扱いが不便となる。
【発明の概要】
【発明が解決しようとする課題】
【０００４】
したがって、交換可能な摩耗／機能部分を有し、かつ軽量で扱いが容易であり、実質的に製造コストが低い、鉱業および採石業での用途のための改良されたスクリーンパネルを設計することに対する、長年にわたる切実な要求があった。
【課題を解決するための手段】
【０００５】
本発明は、上述した長年にわたる切実な要求を満たすことである。
特許請求の範囲を含む本明細書全体にわたり、「スクリーンパネル」、「採鉱」、「採石」、「鉱物」、「鉱石」、「耐擦傷性（ａｂｒａｓｉｏｎ  ｒｅｓｉｓｔａｎｔ）」、「耐摩耗性（ｗｅａｒ  ｒｅｓｉｓｔａｎｔ）」、「部分」、「ゾーン」、「摩耗ゾーン／部分」、「補強ゾーン／部分」という語は、当業者に明らかであり得るように、それぞれの用語の最も広い意味で解釈されるべきであり、かつ他の用語によって既知である本技術分野における同様の全ての項目を含む。本明細書において制限／限定への言及がある場合、それは単に例としてかつ本発明を理解するためのものである。
本発明の目的
本発明の主な目的は、鉱業および採石業における用途のために交換可能な摩耗／機能部分を備えたスクリーンパネルを提供することである。
【０００６】
本発明のさらなる目的は、耐用年数がより長くかつ可撓性である交換可能な摩耗／機能部分を備えたスクリーンパネルを提供することである。
本発明のさらなる目的は、軽量であり、したがって扱いが容易である交換可能な摩耗／機能部分を備えたスクリーンパネルを提供することである。
【０００７】
本発明のさらに別の目的は、実質的に製造コストが低い交換可能な摩耗／機能部分を備えたスクリーンパネルを提供することである。
本発明のさらなる目的は、パネルの容易な取付を確実にしかつ実質的に予備品コストが低減する、交換可能な摩耗／機能部分を備えたスクリーンパネルを提供することである。
【０００８】
本発明の別の目的は、スクリーニング中に材料が詰まるのを確実に防止する交換可能な摩耗／機能部分を備えたスクリーンパネルを提供することである。
本発明の別の目的は、鉱業および採石業における用途のために交換可能な摩耗／機能部分を備えたスクリーンパネルを製造する方法を提供することである。
【０００９】
上述した目的がどのようにして達成されるか、および、本発明の他の態様については、以下の説明から明らかとなる。以下の説明は、純粋に理解を目的とするものであり、いかなる限定をも目的とするものではない。
【００１０】
したがって、本発明は、摩耗部分および補強部分を含む、スクリーンデッキに取り付けられるように適合された、鉱業および採石業のためのスクリーニングパネルであって、摩耗部分が、本明細書に記載されているような補強部分に形成された、本明細書に記載されているような材料から構成されたスクリーニング面を備え、摩耗部分がパネルの上部であり、補強部分がパネルの底部であり、摩耗部分および補強部分が別個のユニットであり、摩耗部分が、スクリーニング作業の円滑な機能を確実にするように、適宜交換可能であるように適合されている、スクリーンパネルを提供する。
【００１１】
本発明のスクリーンパネルの好ましい実施形態によれば、
−前記スクリーニング領域は、外側に広がる設計を有する耐擦傷性開口部を備え、
−前記摩耗部分は、２つ以上のユニットに分離され、
−前記摩耗部分および前記補強部分は、ボタン型滑り嵌め（ｓｎｕｇ  ｆｉｔｔｉｎｇ）、ピンおよびラグ機構、またはボルト締めにより、互いに取り付けられるように適合されており、
−前記摩耗部分は、ポリウレタン／ゴム／鋼から構成されており、前記補強部分は、ゴムまたはポリウレタンによる高温加硫または鋳造によって作製された枠であり、
−前記スクリーニング面は、軟鋼、ステンレス鋼、ゴムおよび／または鋼補強材があるかあるいはないポリウレタンのうちのいずれかまたはそれらの組合せからなり、
−前記パネルは、前記パネルの外縁においてかつ前記パネルの内部領域を横切って延在する、加硫材料、すなわち鋼補強バーが内部に埋め込まれたポリウレタンゴムからなり、それにより、前記スクリーニング面に対して支持を提供し、
−前記パネルの補強部分は、ボタン型滑り嵌め、ピンおよびラグ機構、またはボルト締めにより機械の枠に取り付けられている。
【００１２】
本発明はまた、スクリーンデッキに取り付けられるように適合された、鉱業および採石業のためのスクリーニングパネルを製造する方法であって、本明細書に記載されているような材料から構成されたスクリーニング面を有する摩耗部分と本明細書に記載されているような補強部分とを設計するステップと、補強部分の上に摩耗部分を形成するステップとを含み、摩耗ゾーンおよび補強ゾーンを別個のユニットとして作製し、それにより、摩耗部分が、スクリーニング作業の円滑な機能を確実にするように適宜交換可能であるようにするステップをさらに含む方法も提供する。
【００１３】
本発明はまた、複数のスクリーンパネルが取り付けられている、鉱業および採石業のためのスクリーニングデッキであって、前記パネルの各々が、摩耗部分および補強部分を有し、摩耗部分が、本明細書に記載されているような補強部分に形成された、本明細書に記載されているような材料から構成されたスクリーニング面を備え、摩耗部分がパネルの上部であり、補強部分がパネルの底部であり、摩耗部分および補強部分が別個のユニットであり、摩耗部分が、スクリーニング作業の円滑な機能を確実にするように、適宜交換可能であるように適合されている、スクリーニングデッキも提供する。
【００１４】
本発明の特質および範囲は、いくつかの好ましい実施形態を例示することを目的とし、いかなる種類の限定をも目的とするものではない、添付の図面からよりよく理解されるであろう。添付図面は以下の通りである。
【図面の簡単な説明】
【００１５】
【図１】本発明の好ましい実施形態によるスクリーニング面を示す平面図。
【図２】図１における線Ａ−Ａに沿ったスクリーニング面を示す断面図。
【図３】本発明によるスクリーニング面の好ましい実施形態を示す拡大平面図と線Ａ−Ａに沿った同実施形態の断面図。
【図４（ａ）】本発明の好ましい実施形態によるスクリーニング領域を示す透視図。
【図４（ｂ）】図４（ａ）におけるスクリーニング面の線Ａ−Ａに沿った断面図。
【図５】本発明の好ましい実施形態により、補強部分および摩耗／機能部分がどのようにして取り付けられるかを示す図。
【図６（ａ）】従来のスクリーンパネルを示す平面図。
【図６（ｂ）】図６（ａ）におけるパネルの線Ａ−Ａに沿った拡大断面図。
【図７（ａ）】本発明の好ましい実施形態によるスクリーンパネルを示す平面図。
【図７（ｂ）】図７（ａ）におけるスクリーンパネルの線Ｂ−Ｂに沿った拡大断面図。
【図７（ｃ）】図７（ａ）におけるスクリーンパネルの線Ａ−Ａに沿った拡大断面図。
【図８（ａ）】本発明の別の好ましい実施形態によるスクリーンパネルを示す平面図。
【図８（ｂ）】図８（ａ）におけるスクリーンパネルの線Ａ−Ａに沿った拡大断面図。
【図９】本発明のさらなる好ましい実施形態によるスクリーンパネルを示す平面図。
【発明を実施するための形態】
【００１６】
以下は、本発明のいくつかの好ましい実施形態を説明しており、それら実施形態は、単に本発明の実施を理解するためのものであって、いかなる種類の限定をも目的とするものではない。
【００１７】
従来、スクリーンパネルは、基本的に、摩耗／機能部分および補強部分を備えていることが知られている。これらの部分はまた、一般に、鉱業および採石業におけるスクリーニングの分野において摩耗ゾーンおよび補強ゾーンとも呼ばれている。摩耗ゾーンは、耐擦傷性開口部を備えたスクリーニング面／領域を含む。補強ゾーンは、補強枠を備えており、それは、最終的に機械の枠に取り付けられる。従来、機能ゾーンおよび補強ゾーンは同質でありかつ互いに一体的であり、または言い換えれば、一体型に作製されている。したがって、開口部が擦傷のために摩耗した後、スクリーンパネル全体を交換しなければならず、それにより、作業全体が、コストがかかりかつ不便なものとなる。
【００１８】
本発明は、補強ゾーンから機能ゾーンを分離し、したがって、非摩耗補強ゾーンがそのままかつ再使用可能で維持されるのを可能にする革新的なステップを目的とし、機能ゾーンは、摩耗するといつでも上部から交換される。そのため、顧客は、パネルの上部のみを交換し、このため明らかに総コストが低減し、全体的なスクリーニング作業が非常にやり易くなる。また、これにより、パネルの全重量が低減する。したがって、本発明は、鉱業および採石業における用途のために、交換可能な機能ゾーンを備えたスクリーンパネルを提供する。
【００１９】
理想的には、スクリーニング面は、軟鋼、ステンレス鋼、ゴムおよび／または鋼補強材を有するかまたは有しないポリウレタンのうちのいずれか１つまたはそれらの組合せでできている。
【００２０】
包括的なパネルは、好ましくは、パネルの外縁にかつパネルの内部領域を横切って延在する、内部に鋼補強バーが埋め込まれた加硫材料、ポリウレタンゴムを含み、それにより、前記スクリーニング面に対する支持が提供される。
【００２１】
添付の図１は、本発明の好ましい実施形態によるスクリーニング面の平面図を示す。そこには、スクリーンデッキの下で枠にボルト締め／溶接されているパネル固定枠１’が示される。
【００２２】
添付の図２は、図１に示すスクリーニング面の側面図を示す。
本発明によるスクリーニングパネルは、ゴムまたは鋼補強材を含むポリウレタンのいずれかであり得る。パネルの底部または枠は、ゴムまたはポリウレタンによる高温加硫または鋳造によって製造されている。
【００２３】
添付の図３は、本発明によるスクリーニング領域の透視図を示し、それは、パネルの機能／摩耗部分でありかつ交換可能である。それは、ポリウレタン／ゴム／鋼でできているスクリーニング領域を示す。図３はまた、線Ａ−Ａに沿った断面図も示す。
【００２４】
添付の図４（ａ）は、枠とともに図３に示すスクリーニング領域を示し、枠は補強部分でありかつ非交換可能である。
添付の図４（ｂ）は、図４（ａ）に示す線Ａ−Ａに沿ったパネルの断面図を示す。
【００２５】
添付の図５は、本発明による交換可能な摩耗／機能部分を備えたスクリーンパネルが機械の枠に固定される技術を示す。本出願人の特許番号第２３１４５３号明細書によって保護されているように、固定を、固定手段を与えるボタン型滑り嵌めによって行うことができる。交換可能な機能部分を、同じ技術を適用して、本発明により、スクリーンパネルの非交換補強可能部分に嵌合させることができる。その目的で、ボタン型雄部分を、上部機能部分に設けなければならず、一方で、対応する雌部分が補強ゾーンになければならない。後述するように、本発明によって他のタイプの固定機構も包含される。
【００２６】
添付の図６（ａ）は、補強ゾーンに一体化された摩耗ゾーンを有しかつ一体型に作製されている従来のスクリーンパネルの平面図を示す。これは、図６（ａ）において線Ａ−Ａに沿って取り出された添付の図６（ｂ）における断面図から特に明らかである。それは、互いに一体的な補強ゾーン（１）および摩耗ゾーン（２）を示す。一方、添付の図７（ａ）は、本発明によるスクリーンパネルの平面図を示し、そこでは、上部摩耗ゾーン（２）および底部補強ゾーン（１）が別個の部分を構成している。これは、図７（ａ）における線Ｂ−Ｂに沿って取り出された添付の図７（ｂ）における断面図から特に明らかである。それは、摩耗ゾーン（２）および補強ゾーン（１）が分離されていることを明確に示す。それはまた、先の段落で述べたような滑り嵌め型固定により、補強部分（１）が枠／アングル（３）に固定されていることも示す。添付の図７（ｃ）は、図７（ａ）における線Ａ−Ａに沿った断面図を示す。それは、２つの分離された部分、すなわち上部かつ交換可能な摩耗ゾーン（２）が、先の段落の最後の４行に詳述したように、滑り嵌め型固定機構（４）によって底部補強ゾーン（１）にどのようにして固定されるかを示す。上部／摩耗部分には、底部／補強部分の空洞内に嵌まる滑り嵌め型固定具（４）が設けられている。好ましくは、摩耗ゾーンは厚さが１８ｍｍであり、補強ゾーンは厚さが２２ｍｍである。
【００２７】
ここで、滑り嵌め型の機構の代りに、パネルの２つの部分を固定するためにかつパネルを機械の枠に取り付けるために、ピンおよびラグ型固定機構があってもよい。別法として、ボルト型の固定機構があってもよい。
【００２８】
添付の図８（ａ）は、交換可能な上部／摩耗部分および固定された底部／補強部分を有する、本発明によるスクリーンパネルの平面図を示し、そこでは、２つの部分はピンおよび別個のラグ機構によって固定されている。これは、図８（ａ）における線Ａ−Ａに沿って取り出された添付の図８（ｂ）における断面図から特に明らかとなる。それは、上部／摩耗ゾーン（２）を底部／補強ゾーン（１）に固定するためのピンおよびラグ固定機構を示す。好ましくは、摩耗ゾーンの厚さは１０ｍｍであり、補強ゾーンの厚さは３０ｍｍ、より好ましくは２２ｍｍである。
【００２９】
添付の図９は、さらなる好ましい実施形態を示し、そこでは、上部／交換可能摩耗ゾーンは、上部左部分（５）および上部右部分（６）に分割されている。したがって、スクリーンパネルは３つの部分、すなわち上部左部分、上部右部分および底部補強部分を備えている。上部部分を、当然ながら、同様に３つ以上の部分に分離することができる。そのため、このようにして、本発明によるスクリーンパネルを、７つのモジュール式部分に分割することができ、それらの各々を、好都合な円滑かつ完全なスクリーニング作業のために、上部から交換することができ、これは経済的でもある。上部と底部との間の取付機構を、添付の図９において、上述したように滑り嵌め型として示したが、全ての可能な固定機構を適用できることが理解されるべきである。
【００３０】
上述したような本発明のさまざまな好ましい実施形態全てにおいて、取外し可能なスクリーニング領域の開口部は、好ましくは、スクリーニング作業中に材料が詰まらないように、外側に広がる設計を有している。
【００３１】
本発明によるスクリーンパネルを製造する方法は、本明細書に記載したような材料から構成されたスクリーニング面を有する摩耗部分と、本明細書に記載したような補強部分とを設計するステップと、補強部分の上に摩耗部分を形成するステップとを含む。本方法は、摩耗ゾーンおよび補強ゾーンを別個のユニットとして作製し、それにより、スクリーニング作業の円滑な機能を確実にするために、摩耗部分が適宜交換可能であるようにするステップをさらに含む。
【００３２】
本発明によるスクリーンパネルの非限定的な利点を、以下のように要約することができる。
１．パネル全体を交換する必要がなくなり、それによりスクリーンパネルの運用および製造のコストが低減する。
２．スクリーンパネルが、上部を全体としてまたは部分的に交換可能とすることにより、軽量となる。
３．スクリーニング開口部の外側に広がる設計により、スクリーニング作業中の詰まりが確実に防止される。
４．パネルの機械の枠への容易な取付と上部と底部との間の容易な取付が確実になる。
５．柔軟性および耐久年数の延長が確実になる。
【００３３】
本発明を、純粋に理解のためであり、いかなる限定のためでもない、いくつかの図面および好ましい実施形態を参照して説明した。そして、本発明は、本明細書に前述され添付の特許請求の範囲において請求されているものの範囲内にある全ての合理的な展開形態を含む。
【図１】
2013526405.tif 000003
【図２】
2013526405.tif 000004
【図３】
2013526405.tif 000005
【図４（ａ）】
2013526405.tif 000006
【図４（ｂ）】
2013526405.tif 000007
【図５】
2013526405.tif 000008
【図６（ａ）】
2013526405.tif 000009
【図６（ｂ）】
2013526405.tif 000010
【図７（ａ）】
2013526405.tif 000011
【図７（ｂ）】
2013526405.tif 000012
【図７（ｃ）】
2013526405.tif 000013
【図８（ａ）】
2013526405.tif 000014
【図８（ｂ）】
2013526405.tif 000015
【図９】
2013526405.tif 000016
【国際調査報告】
2013526405.tif 000017
2013526405.tif 000018
2013526405.tif 000019